【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
片面で割出し可能な角形の切削インサート（３０）であって、
反対側にある四角形の上面（３２）および下面（３４）と、それらの間に延在する周囲側面（３６）であって、４つの逃げ面（４２）と交互に存在する４つのコーナー面（４０）を有する周囲側面（３６）と、
前記上面（３２）および前記下面（３４）を通過する中心軸（Ａ１）であって、その中心軸の周りで前記切削インサート（３０）が割出し可能である中心軸（Ａ１）と、
前記上面（３２）と前記４つのコーナー面（４０）のそれぞれとの交差部分に形成されたコーナー切れ刃（４４）と
を含み、
前記下面（３４）が
ベース表面（４６）、および
前記ベース表面（４６）から突出する４つの係合隆起部（５０）であって、各係合隆起部（５０）が前記４つのコーナー面（４０）の１つと交差し且つ前記コーナー面（４０）から前記中心軸（Ａ１）の方に延在し、それにより前記ベース表面（４６）を少なくとも４つのベースサブ表面（５６）に分割し、各係合隆起部（５０）が、Ｖ字形断面を形成する一対の平行に延在する隆起部側面（５４）を含む係合隆起部（５０）、
を含む、片面で割出し可能な角形の切削インサート（３０）。
【請求項２】
前記ベース表面（４６）から突出し、且つ隆起したボス端面（５２）を有する中央ボス（４８）をさらに含み、各係合隆起部（５０）が前記中央ボス（４８）と交差し、それにより前記ベースサブ表面（５６）を互いに分離する、
請求項１に記載の切削インサート（３０）。
【請求項３】
前記ベース表面（４６）がベース面（Ｐ１）を定め、
前記中央ボス（４８）が前記ベース面（Ｐ１）から第１の距離Ｄ１だけ突出し、前記４つの係合隆起部（５０）がそれぞれ、前記ベース面（Ｐ１）から第２の距離Ｄ２だけ突出し、
Ｄ１はＤ２に等しい、
請求項２に記載の切削インサート（２０）。
【請求項４】
各係合隆起部（５０）が、隆起部側面（５４）の各対を離間する中間面（５８）を含み、
前記ボス端面（５２）および前記４つの中間面（５８）が同一平面上にあり、且つ連続している、請求項３に記載の切削インサート（３０）。
【請求項５】
各中間面（５８）が中間幅Ｗを有し、
ＷがＤ２の半分より大きく、Ｄ２より小さい、請求項４に記載の切削インサート（３０）。
【請求項６】
通し穴（７６）が前記中心軸（Ａ１）と同軸に延在し、且つ前記上面（３２）および前記ボス端面（５２）の両方に開口する、請求項２〜５のいずれか一項に記載の切削インサート（３０）。
【請求項７】
前記切削インサート（３０）の底面視において、前記中央ボス（４８）が実質的に円の形状を有する、請求項２〜６のいずれか一項に記載の切削インサート（３０）。
【請求項８】
隆起部側面（５４）の各対が、そのそれぞれのコーナー面（４０）と交差する、請求項１〜７のいずれか一項に記載の切削インサート（３０）。
【請求項９】
前記４つのコーナー面（４０）が同一形状であり、前記４つのコーナー切れ刃（４４）が同一形状である、請求項１〜８のいずれか一項に記載の切削インサート（３０）。
【請求項１０】
垂直インサート面（Ｐ２）が前記中心軸（Ａ１）を含み、且つ前記４つのコーナー切れ刃（４４）の２つを二等分し、
前記切削インサート（３０）が前記垂直インサート面（Ｐ２）の周りで鏡面対称を呈する、請求項１〜９のいずれか一項に記載の切削インサート（３０）。
【請求項１１】
前記ベース表面（４６）が４つの同一のベースサブ表面（５６）を含む、請求項１〜１０のいずれか一項に記載の切削インサート（３０）。
【請求項１２】
各係合隆起部（５０）の前記一対の隆起部側面（５４）が、鈍角の係合角度（α）を形成する、請求項１〜１１のいずれか一項に記載の切削インサート（３０）。
【請求項１３】
前端部（２８）にインサート受入れポケット（２６）が形成された主要本体（２４）を有する工具ホルダ（２２）と、前記インサート受入れポケット（２６）に取外し可能に固定される、請求項１〜１２のいずれか一項に記載の切削インサート（３０）とを含む切削工具（２０）。
【請求項１４】
前記インサート受入れポケット（２６）が、
単一の係合溝（６４）が形成された床面（６２）と、前記床面（６２）から突出する２つの分離された支持パッド（６６）とを有する座面（６０）を含み、
前記係合溝（６４）が、Ｖ字形断面を形成する一対の平行に延在する溝側面（６８）を含み、および前記２つの支持パッド（６６）のそれぞれが、隆起した支持面（７０）を有し、
前記２つの支持面（７０）が同一平面上にあり、
前記切削インサート（３０）の前記下面（３４）が単に、
稼働するコーナー切れ刃（４４）に最も近接して位置付けられた前記係合隆起部（５０）の前記一対の隆起部側面（５４）が、前記単一の係合溝（６４）の対応する一対の溝側面（６８）と接触し、
前記ベース表面（４６）が、前記中心軸（Ａ１）よりも前記稼働するコーナー切れ刃（４４）から遠くに位置付けられた２つの支持領域（７２）で前記２つの隆起した支持面（７０）と接触すること
によって、前記インサート受入れポケット（２６）の前記座面（６０）に対して締め付けられる、
請求項１３に記載の切削工具（２０）。
【請求項１５】
前記インサート受入れポケット（２６）が、２つの当接壁（８６）を有する当接ショルダ部分（８４）を前記座面（６０）の後方に含み、
前記切削インサート（３０）の前記周囲側面（３６）が単に、
前記稼働コーナー切れ刃（４４）から最も遠くに位置付けられた前記２つの逃げ面（４２）のそれぞれが、前記２つの当接壁（８６）の異なる１つと接触すること
によって、前記インサート受入れポケット（２６）の前記当接ショルダ部分（８４）に対して締め付けられる、請求項１４に記載の切削工具（２０）。
【請求項１６】
前記２つの支持領域（７２）がそれぞれ、前記稼働コーナー切れ刃（４４）から最も遠くに位置付けられた２つの逃げ面（４２）の異なる１つによって境界を定められる、請求項１４または１５に記載の切削工具（２０）。
【請求項１７】
隆起したボス端面（５２）を有する中央ボス（４８）が前記ベース表面（４６）から突出し、各係合隆起部（５０）が前記中央ボス（４８）と交差し、それにより前記サブ表面（５６）を互いに分離し、
前記２つの支持領域（７２）が、少なくとも４つのベースサブ表面（５６）の２つに位置付けられる、請求項１４〜１６のいずれか一項に記載の切削工具（２０）。
【請求項１８】
前記ベース表面（４６）がベース面（Ｐ１）を定め、
前記中央ボス（４８）が前記ベース面（Ｐ１）から第１の距離Ｄ１だけ突出し、前記４つの係合隆起部（５０）がそれぞれ、前記ベース面（Ｐ１）から第２の距離Ｄ２だけ突出し、
Ｄ１はＤ２に等しい、
請求項１７に記載の切削工具（２０）。
【請求項１９】
各係合隆起部（５０）が、隆起部側面（５４）の各対を離間する中間面（５８）を含み、
前記ボス端面（５２）および４つの中間面（５８）が同一平面上にあり、且つ連続しており、
前記稼働するコーナー切れ刃（４４）に最も近接して位置付けられた前記係合隆起部（５０）の前記中間面（５８）が、前記係合溝（６４）のどの面とも当接しない、請求項１７または１８に記載の切削工具（２０）。
【請求項２０】
通し穴（７６）が前記中心軸（Ａ１）と同軸に延在し、且つ前記上面（３２）および前記ボス端面（５２）の両方に開口し、
前記通し穴（７６）に位置付けられた締付ねじ（７８）が、前記座面（６０）のねじ穴（８０）にねじ係合される、請求項１７〜１９のいずれか一項に記載の切削工具（２０）。
【請求項２１】
前端部（２８）にインサート受入れポケット（２６）が形成された主要本体（２４）を有する工具ホルダ（２２）と、前記インサート受入れポケット（２６）に取外し可能に固定された片面で割出し可能な角形の切削インサート（３０）とを含む切削工具（２０）であって、
前記インサート受入れポケット（２６）が、
単一の係合溝（６４）が形成された床面（６２）と、前記床面（６２）から突出する２つの分離された支持パッド（６６）とを有する座面（６０）を含み、
前記係合溝（６４）が、Ｖ字形断面を形成する一対の平行に延在する溝側面（６８）を含み、および前記２つの支持パッド（６６）のそれぞれが、隆起した支持面（７０）を有し、
前記２つの支持面（７０）が同一平面上にあり、
前記切削インサート（３０）が、
反対側にある四角形の上面（３２）および下面（３４）と、それらの間に延在する周囲側面（３６）であって、４つの逃げ面（４２）と交互に存在する４つのコーナー面（４０）を有する周囲側面（３６）と、
前記上面（３２）および前記下面（３４）を通過する中心軸（Ａ１）であって、その中心軸（Ａ１）の周りで前記切削インサート（３０）が割出し可能である中心軸（Ａ１）と、
前記上面（３２）と前記４つのコーナー面（４０）のそれぞれとの交差部分に形成されたコーナー切れ刃（４４）と
を含み、
前記下面（３４）がベース表面（４６）を含み、および前記ベース表面（４６）から突出する４つの係合隆起部（５０）を有し、
各係合隆起部（５０）が、Ｖ字形断面を形成する一対の平行に延びる隆起部側面（５４）を含み、各係合隆起部（５０）が前記４つのコーナー面（４０）の１つと交差し、且つ前記コーナー面（４０）から前記中心軸（Ａ１）の方に延在し、
前記切削インサート（３０）の前記下面（３４）は単に、
稼働するコーナー切れ刃（４４）に最も近接して位置付けられた前記係合隆起部（５０）の前記一対の隆起部側面（５４）が、前記単一の係合溝（６４）の対応する一対の溝側面（６８）と接触し、
前記ベース表面（４６）が、前記中心軸（Ａ１）よりも前記稼働するコーナー切れ刃（４４）から遠くに位置付けられた２つの支持領域（７２）で前記２つの隆起した支持面（７０）と接触すること
によって、前記インサート受入れポケット（２６）の前記座面（６０）に対して締め付けられる、切削工具（２０）。
【手続補正２】
【補正対象書類名】明細書
【補正対象項目名】発明の名称
【補正方法】変更
【補正の内容】
【発明の名称】片面で割出し可能な角形の切削インサートおよび切削工具
【手続補正３】
【補正対象書類名】明細書
【補正対象項目名】００１０
【補正方法】変更
【補正の内容】
【００１０】
発明の概要
本発明によれば、片面で割出し可能な切削インサートであって、
反対側にある四角形の上面および下面と、それらの間に延びる周囲側面であって、４つの逃げ面と交互に存在する４つのコーナー面を有する周囲側面と、
上面および下面を通過する中心軸であって、その中心軸の周りで切削インサートが割出し可能である中心軸と、
上面と４つのコーナー面のそれぞれとの交差部分に形成されたコーナー切れ刃と
を含み、
下面が
ベース表面、および
ベース表面から突出するちょうど４つの係合隆起部であって、各係合隆起部が４つのコーナー面の１つと交差し且つそこから中心軸の方に延在し、それによりベース表面を少なくとも４つのベースサブ表面に分割し、各係合隆起部が、Ｖ字形断面を形成する一対の平行に延在する隆起部側面を含む係合隆起部、
を含む、片面で割出し可能な切削インサートが提供される。
【手続補正４】
【補正対象書類名】明細書
【補正対象項目名】００１２
【補正方法】変更
【補正の内容】
【００１２】
さらに本発明によれば、その前端部にインサート受入れポケットが形成された主要本体を有する工具ホルダと、インサート受入れポケットに取外し可能に固定された片面で割出し可能な角形の切削インサートとを含む切削工具であって、
インサート受入れポケットが、
単一の係合溝が形成された床面と、床面から突出する２つの分離された支持パッドとを有する座面を含み、
係合溝が、Ｖ字形断面を形成する一対の平行に延在する溝側面を含み、および２つの支持パッドのそれぞれが、隆起した支持面を有し、
２つの支持面が同一平面上にあり、
切削インサートが、
反対側にある四角形の上面および下面と、それらの間に延びる周囲側面であって、４つの逃げ面と交互に存在する４つのコーナー面を有する周囲側面と、
上面および下面を通過する中心軸であって、その中心軸の周りで切削インサートが割出し可能である中心軸と、
上面と４つのコーナー面のそれぞれとの交差部分に形成されたコーナー切れ刃と
を含み、
下面がベース表面を含み、およびベース表面から突出するちょうど４つの係合隆起部を含み、
各係合隆起部が、Ｖ字形断面を形成する一対の平行に延びる隆起部側面を含み、各係合隆起部が４つのコーナー面の１つと交差し、かつコーナー面から中心軸の方に延在し、
切削インサートの下面は単に、
稼働するコーナー切れ刃に最も近接して位置付けられた係合隆起部の一対の隆起部側面が、単一の係合溝の対応する一対の溝側面と接触し、
ベース表面が、中心軸よりも稼働するコーナー切れ刃から遠くに完全に位置付けられた２つの支持領域で２つの隆起した支持面と接触すること
によって、インサート受入れポケットの座面に対して締め付けられる、
切削工具が提供される。
【手続補正５】
【補正対象書類名】明細書
【補正対象項目名】００１５
【補正方法】変更
【補正の内容】
【００１５】
発明の詳細な記載
本発明は、その前端部２８にインサート受入れポケット２６が形成された主要本体２４を有する工具ホルダ２２と、インサート受入れポケット２６に取外し可能に固定された片面で割出し可能な切削インサート３０とを含む切削工具２０に関する。
【手続補正６】
【補正対象書類名】明細書
【補正対象項目名】００２０
【補正方法】変更
【補正の内容】
【００２０】
本発明のいくつかの実施形態では、４つのコーナー面４０は同一形状であってもよく、また４つのコーナー切れ刃４４は同一形状であってもよい。
【手続補正７】
【補正対象書類名】明細書
【補正対象項目名】００３５
【補正方法】変更
【補正の内容】
【００３５】
本発明のいくつかの実施形態では、図３に示されるように、ベース表面４６は、ちょうど４つの同一形状のベースサブ表面５６を有し得る。
【手続補正８】
【補正対象書類名】明細書
【補正対象項目名】００３６
【補正方法】変更
【補正の内容】
【００３６】
また本発明のいくつかの実施形態では、切削インサート３０の底面視において、図３に示されるように、中央ボス４８は実質的に円の形状を有し得る。